(57)【特許請求の範囲】
【請求項１】
楽器ケースにその前後方向にスライド可能に設けられて鍵盤部を開閉自在に覆う鍵盤蓋と、
前記鍵盤蓋に設けられ、前記楽器ケースの前後方向に移動可能にガイドされるガイド移動部と、
前記鍵盤蓋が閉じる方向に移動する際に前記ガイド移動部が落ち込む第１軌道部及び、前記鍵盤蓋が開く方向に移動する際に前記ガイド移動部をガイドして前記第１軌道部の上側を通過させる第２軌道部とが設けられたガイド部と、
前記鍵盤蓋が開く際に前記第１軌道部を塞いで前記ガイド移動部を前記第２軌道部に導く第１規制部及び、前記鍵盤蓋が閉じる際に前記第２軌道部を塞いで前記ガイド移動部を前記第１軌道部に導く第２規制部とが設けられた軌道規制部と、
を備えていることを特徴とする鍵盤楽器の蓋開閉装置。
【発明の詳細な説明】
【技術分野】
【０００１】
この発明は、電子ピアノなどの鍵盤楽器の蓋開閉装置に関する。
【背景技術】
【０００２】
例えば、電子ピアノなどの鍵盤楽器の蓋開閉装置においては、特許文献１に記載されているように、鍵盤部が内部に設けられた楽器ケースに、その鍵盤部を開閉自在に覆う鍵盤蓋をスライド可能に設けた構成のものが知られている。
【先行技術文献】
【特許文献】
【０００３】
【特許文献１】特開平０８−２７２３５４号公報
【０００４】
この種の蓋開閉装置は、鍵盤蓋の後部にピニオンギアが設けられ、このピニオンギアが噛み合って回転移動するラックギアが楽器ケース内に設けられていると共に、鍵盤蓋の前端下部をガイドするガイド部が楽器ケース内に設けられた構成になっている。
【発明の概要】
【発明が解決しようとする課題】
【０００５】
しかしながら、このような鍵盤楽器の蓋開閉装置では、鍵盤蓋をスライドさせて鍵盤部を開閉する際に、鍵盤蓋の後部に位置するピニオンギアが楽器ケース内のラックギアによってガイドされると共に、鍵盤蓋の前端下部が楽器ケース内のガイド部によってガイドされることにより、鍵盤蓋を円滑に移動させることができても、鍵盤蓋を閉じる際に、鍵盤蓋の閉じる動作を制御することができないため、手や指を挟んで怪我をする恐れがあり、安全性に問題がある。
【０００６】
この発明が解決しようとする課題は、安全に且つスムーズに鍵盤蓋を開閉することができる鍵盤楽器の蓋開閉装置を提供することである。
【課題を解決するための手段】
【０００７】
この発明は、楽器ケースにその前後方向にスライド可能に設けられて鍵盤部を開閉自在に覆う鍵盤蓋と、
前記鍵盤蓋に設けられ、前記楽器ケースの前後方向に移動可能にガイドされるガイド移動部と、
前記鍵盤蓋が閉じる方向に移動する際に前記ガイド移動部が落ち込む第１軌道部及び、前記鍵盤蓋が開く方向に移動する際に前記ガイド移動部をガイドして前記第１軌道部の上側を通過させる第２軌道部とが設けられたガイド部と、
前記鍵盤蓋が開く際に前記第１軌道部を塞いで前記ガイド移動部を前記第２軌道部に導く第１規制部及び、前記鍵盤蓋が閉じる際に前記第２軌道部を塞いで前記ガイド移動部を前記第１軌道部に導く第２規制部とが設けられた軌道規制部と、
を備えていることを特徴とする鍵盤楽器の蓋開閉装置である。
【発明の効果】
【０００８】
この発明によれば、鍵盤蓋をスライドさせて鍵盤部を閉じる際に、鍵盤蓋のガイド移動部を鍵盤蓋１０の自重でガイド部の第１軌道部に一旦落し込んで制動することができる。このため、鍵盤蓋の閉じる動作を一旦停止させたり、あるいは閉じる速度を極端に遅くしたりすることができるので、鍵盤蓋が勢い良く閉じるのを確実に防ぐことができる。また、鍵盤蓋をスライドさせて鍵盤部を開く際には、鍵盤蓋のガイド移動部をガイド部の第２軌道部でガイドして第１軌道部の上側を通過させることができるので、この第２軌道部でガイド移動部を滑らかにガイドして鍵盤蓋を円滑に開くことができる。これにより、安全に且つスムーズに鍵盤蓋を開閉することができる。
【図面の簡単な説明】
【０００９】
【図１】この発明を適用した鍵盤楽器の実施形態１において、鍵盤蓋を閉じた状態を示した断面図である。
【図２】図１に示された鍵盤楽器において、鍵盤蓋を開いた状態を示した断面図である。
【図３】図２に示された鍵盤楽器において、楽器ケースの側板に設けられた前側ガイド部の前部側を示した要部の拡大斜視図である。
【図４】図３に示された前側ガイド部におけるガイド溝部を示した要部の拡大側面図である。
【図５】図４に示されたガイド溝部において、鍵盤蓋を閉じる際に鍵盤蓋のガイド軸部が第１軌道部に落ち込む状態を示した要部の拡大側面図である。
【図６】図５に示されたガイド溝部において、鍵盤蓋のガイド軸部が第１軌道部のストッパ部に当接して停止した状態を示した要部の拡大側面図である。
【図７】図６に示されたガイド溝部において、鍵盤蓋を持ち上げてガイド軸部が第１軌道部のストッパ部を乗り越えた状態を示した要部の拡大側面図である。
【図８】図１に示された蓋開閉装置において、鍵盤部を覆って閉じた状態の鍵盤蓋の前端部を押し上げて、鍵盤蓋を開く状態を示した要部の拡大側面図である。
【図９】図８に示されたガイド溝部において、鍵盤蓋のガイド軸部がガイド溝部に沿って移動して第１、第２の各軌道部に接近した状態を示した要部の拡大側面図である。
【図１０】図９に示されたガイド溝部において、鍵盤蓋のガイド軸部が第１軌道部に落ち込むことなく第２軌道部に導かれる状態を示した要部の拡大側面図である。
【図１１】図１０に示されたガイド溝部において、鍵盤蓋のガイド軸部が第１軌道部に落ち込むことなく第２軌道部を通過した状態を示した要部の拡大側面図である。
【図１２】図５に示されたガイド溝部において、鍵盤部を開放させて露出させた状態の鍵盤蓋を持ち上げた状態のままで閉じる際に、ガイド軸部が第１軌道部に落ち込むことなく第２軌道部を通過する状態を示した要部の拡大側面図である。
【図１３】この発明を適用した鍵盤楽器の実施形態２において、鍵盤蓋のガイド軸部をガイドする前側ガイド部におけるガイド溝部の前部側を示した要部の拡大斜視図である。
【図１４】図１３に示された前側ガイド部におけるガイド溝部を示した要部の拡大側面図である。
【図１５】図１４に示されたガイド溝部において、鍵盤蓋を閉じる際に鍵盤蓋のガイド軸部が第１軌道部に落ち込む状態を示した要部の拡大側面図である。
【図１６】図１５に示されたガイド溝部において、鍵盤蓋のガイド軸部が軌道規制部の下側に位置する第１軌道部のストッパ部に当接して停止した状態を示した要部の拡大側面図である。
【図１７】図１６に示されたガイド溝部において、鍵盤蓋を持ち上げてガイド軸部が第１軌道部のストッパ部を乗り越えた状態を示した要部の拡大側面図である。
【図１８】図１３に示されたガイド溝部において、鍵盤部を覆って閉じた状態の鍵盤蓋の前端部を押し上げて、鍵盤蓋を開く状態を示した要部の拡大側面図である。
【図１９】図１８に示されたガイド溝部において、鍵盤蓋のガイド軸部がガイド溝部に沿って移動して第１、第２の各軌道部に接近した状態を示した要部の拡大側面図である。
【図２０】図１９に示されたガイド溝部において、鍵盤蓋のガイド軸部が第１軌道部に落ち込むことなく軌道規制部を通過する状態を示した要部の拡大側面図である。
【図２１】図２０に示されたガイド溝部において、鍵盤蓋のガイド軸部が軌道規制部によって第１軌道部に落ち込むことなく第２軌道部を通過した状態を示した要部の拡大側面図である。
【図２２】図１５に示されたガイド溝部において、鍵盤部を開放させて露出させた状態の鍵盤蓋を持ち上げた状態のままで閉じる際に、ガイド軸部が第１軌道部に落ち込むことなく軌道規制部によってガイドされて第２軌道部を通過する状態を示した要部の拡大側面図である。
【図２３】この発明を適用した鍵盤楽器の実施形態３において、鍵盤蓋のガイド軸部をガイドする前側ガイド部におけるガイド溝部に設けられる軌道規制部を分解して示した要部の拡大斜視図である。
【図２４】図２３に示された前側ガイド部におけるガイド溝部を示した要部の拡大側面図である。
【図２５】図２４に示されたガイド溝部において、鍵盤蓋を閉じる際に鍵盤蓋のガイド軸部が第１軌道部に落ち込む状態を示した要部の拡大側面図である。
【図２６】図２５に示されたガイド溝部において、鍵盤蓋のガイド軸部が軌道規制部の可動板の下側に位置する第１軌道部のストッパ部に当接して停止した状態を示した要部の拡大側面図である。
【図２７】図２６に示されたガイド溝部において、鍵盤蓋を持ち上げてガイド軸部が軌道規制部の可動板を押し上げて第１軌道部のストッパ部を乗り越えた状態を示した要部の拡大側面図である。
【図２８】図２４に示されたガイド溝部において、鍵盤部を覆って閉じた状態の鍵盤蓋の前端部を押し上げて、鍵盤蓋を開く状態を示した要部の拡大側面図である。
【図２９】図２８に示されたガイド溝部において、鍵盤蓋のガイド軸部がガイド溝部に沿って移動して第１、第２の各軌道部に接近した状態を示した要部の拡大側面図である。
【図３０】図２９に示されたガイド溝部において、鍵盤蓋のガイド軸部が第１軌道部に落ち込むことなく軌道規制部の可動板上を通過する状態を示した要部の拡大側面図である。
【図３１】図３０に示されたガイド溝部において、鍵盤蓋のガイド軸部が第１軌道部に落ち込むことなく第２軌道部を通過した状態を示した要部の拡大側面図である。
【図３２】図２５に示されたガイド溝部において、鍵盤部を開放させて露出させた状態の鍵盤蓋を持ち上げた状態のままで閉じる際に、ガイド軸部が第１軌道部に落ち込むことなく軌道規制部の可動板上を移動して第２軌道部を通過する状態を示した要部の拡大側面図である。
【図３３】この発明を適用した鍵盤楽器の実施形態４において、鍵盤蓋のガイド軸部をガイドする前側ガイド部におけるガイド溝部に設けられる軌道規制部を分解して示した要部の拡大斜視図である。
【図３４】図３３に示された前側ガイド部におけるガイド溝部を示した要部の拡大側面図である。
【図３５】図３４に示されたガイド溝部において、鍵盤蓋を閉じる際に鍵盤蓋のガイド軸部が軌道規制部の第２規制部で規制されて第１軌道部に落ち込む状態を示した要部の拡大側面図である。
【図３６】図３５に示されたガイド溝部において、鍵盤蓋のガイド軸部が軌道規制部の第１規制部の下側に位置する第１軌道部のストッパ部に当接して停止した状態を示した要部の拡大側面図である。
【図３７】図３６に示されたガイド溝部において、鍵盤蓋を持ち上げてガイド軸部が軌道規制部の第１規制部を押し上げて第１軌道部のストッパ部を乗り越えた状態を示した要部の拡大側面図である。
【図３８】図３５に示されたガイド溝部において、鍵盤部を覆って閉じた状態の鍵盤蓋の前端部を押し上げて、鍵盤蓋を開く状態を示した要部の拡大側面図である。
【図３９】図３８に示されたガイド溝部において、鍵盤蓋のガイド軸部がガイド溝部に沿って移動して第１、第２の各軌道部に接近した状態を示した要部の拡大側面図である。
【図４０】図３９に示されたガイド溝部において、鍵盤蓋のガイド軸部が第１軌道部に落ち込むことなく軌道規制部の第１規制部上を通過する状態を示した要部の拡大側面図である。
【図４１】図４０に示されたガイド溝部において、鍵盤蓋のガイド軸部が軌道規制部の第２規制部を押し倒して第２軌道部を通過する状態を示した要部の拡大側面図である。
【図４２】図４１に示されたガイド溝部において、鍵盤蓋のガイド軸部が第２軌道部を通過して、第２規制部が第２軌道部を塞いだ状態を示した要部の拡大側面図である。
【発明を実施するための形態】
【００１０】
（実施形態１）
以下、図１〜図１２を参照して、この発明を鍵盤楽器に適用した実施形態１について説明する。
この鍵盤楽器は、図１および図２に示すように、楽器ケース１を備えている。
【００１１】
この楽器ケース１は、底板２と、この底板２の前端部（図１では左端部）に起立して設けられた前板３と、底板２の後端部（図１では右端部）に起立して設けられた後板４と、底板２の両端部（図１では紙面の表裏側の端部）に起立して設けられた一対の側板５と、この一対の側板５の前後方向（図１では左右方向）における中間部よりも後側に位置する後側上部と後板４の上部とに設けられた天板６とを備えている。これにより、楽器ケース１は、天板６の前側が上方に開放されたほぼ箱形状に形成されている。
【００１２】
この楽器ケース１内には、図１および図２に示すように、鍵盤部７が上方に露出した状態で設けられている。すなわち、この鍵盤部７は、楽器ケース１内の底板２における前部側（図１では左側）に配置された鍵盤シャーシ（図示せず）と、この鍵盤シャーシ上に並列に配列された複数の鍵８とを備えている。この場合、複数の鍵８は、複数の白鍵と複数の黒鍵とからなり、これらが鍵盤シャーシ上に上下方向に回転可能に取り付けられ、この状態で楽器ケース１の上方に露出するように構成されている。
【００１３】
また、この楽器ケース１には、図１および図２に示すように、鍵盤部７の上側を開閉可能に覆う鍵盤蓋１０が前後方向（図１では左右方向）にスライド可能に設けられている。この鍵盤蓋１０は、図１に示すように、鍵盤部７の上方に配置されて鍵盤部７を覆って閉じた状態のときに、その後端部（図１では右端部）が楽器ケース１の天板６の前部下側に配置されるように構成されている。
【００１４】
また、この鍵盤蓋１０は、図２に示すように、鍵盤部７の上方から楽器ケース１の天板６の下側に配置されて鍵盤部７を露出させて開いた状態のときに、その後端部（図２では右端部）が楽器ケース１の天板６における後端部の下側に配置され、且つ前端部（図２では左端部）が楽器ケース１の天板６における前部の下側に配置された状態で、楽器ケース１内に収納されるように構成されている。
【００１５】
この場合、鍵盤蓋１０の前端部（図１では左端部）には、図１および図２に示すように、取手部１２が設けられており、この取手部１２の下部には前側支持部１３が斜め下側に向けて設けられている。この前側支持部１３の両側に位置する各下端部には、楽器ケース１の側板５の内面に向けて突出した状態で、一対のガイド軸部１４がそれぞれ取り付けられている。このガイド軸部１４は、図示しないが、前側支持部１３の下端部から側板５に向けて突出して設けられた軸に円形状のキャップを設けた構成になっている。
【００１６】
また、鍵盤蓋１０の後端部には、図１および図２に示すように、後側金具１５が下側に突出して設けられており、この後側金具１５には、１本のシャフト１６が回転可能に取り付けられている。このシャフト１６の両端部には、それぞれピニオンギア１７がシャフト１６と共に回転するように取り付けられている。
【００１７】
この鍵盤蓋１０の蓋開閉装置１１は、図１および図２に示すように、鍵盤蓋１０の前端部に位置するガイド軸部１４をガイドする前側ガイド部１８と、鍵盤蓋１０の後端部に位置するシャフト１６およびピニオンギア１７をガイドする後側ガイド部１９とを備えている。
【００１８】
前側ガイド部１８は、図１および図２に示すように、楽器ケース１の側板５の内面にその前端部から前後方向における中間部、つまり天板６の前端部の下側に位置する側板５の中間部に亘って嵌め込まれたガイド板である。この前側ガイド部１８には、鍵盤蓋１０の前端部に位置するガイド軸部１４をガイドするためのガイド溝部２０が、前板３の上端部から鍵盤部７の上側に沿って緩やかに傾斜した状態で設けられている。
【００１９】
後側ガイド部１９は、図１および図２に示すように、楽器ケース１の側板５の内面にその前後方向における中間部付近、つまり天板６の前部の下側に位置する中間部から天板６の後端部の下側に位置する箇所に亘って設けられている。この後側ガイド部１９は、鍵盤蓋１０の後端部に位置するシャフト１６をガイドする軸ガイド溝部２１と、鍵盤蓋１０のシャフト１６に取り付けられたピニオンギア１７が噛み合って回転移動するラックギア２２とを備え、これらが後方に向けて斜め下側に緩やかに傾斜した状態で設けられた構成になっている。
【００２０】
これにより、蓋開閉装置１１は、図１に示すように、鍵盤蓋１０が鍵盤部７の上方に配置されて鍵盤部７を覆って閉じた状態のときに、鍵盤蓋１０の前端部に位置するガイド軸部１４が前側ガイド部１８のガイド溝部２０の前端部に位置し、且つ鍵盤蓋１０の後端部に位置するシャフト１６が後側ガイド部１９の軸ガイド溝部２１の前端部に位置すると共に、シャフト１６の両側のピニオンギア１７が後側ガイド部１９のラックギア２２の前端部に位置し、この状態で鍵盤蓋１０が鍵盤部７を覆うように構成されている。
【００２１】
また、この蓋開閉装置１１は、図１および図２に示すように、鍵盤蓋１０が前後方向に移動して鍵盤部７を開閉する際に、鍵盤蓋１０の前端部に位置するガイド軸部１４が前側ガイド部１８のガイド溝部２０に沿って移動し、且つ鍵盤蓋１０の後端部に位置するシャフト１６が後側ガイド部１９の軸ガイド溝部２１に沿って移動すると共に、シャフト１６の両側のピニオンギア１７が後側ガイド部１９のラックギア２２に噛み合った状態で回転移動するように構成されている。
【００２２】
さらに、この蓋開閉装置１１は、図２に示すように、鍵盤蓋１０が鍵盤部７の上方から楽器ケース１の天板６の下側に配置されて鍵盤部７を露出させて開いた状態のときに、鍵盤蓋１０の前端部に位置するガイド軸部１４が前側ガイド部１８のガイド溝部２０の後端部に位置し、且つ鍵盤蓋１０の後端部に位置するシャフト１６が後側ガイド部１９の軸ガイド溝部２１の後端部に位置すると共に、シャフト１６の両側のピニオンギア１７が後側ガイド部１９のラックギア２２の後端部に位置し、この状態で鍵盤蓋１０が楽器ケース１内に収納され、鍵盤部７を上側に開放するように構成されている。
【００２３】
ところで、この蓋開閉装置１１における前側ガイド部１８には、図１〜図４に示すように、鍵盤蓋１０が閉じる方向に移動する際に鍵盤蓋１０の前端部に位置するガイド軸部１４が一旦落ち込む第１軌道部２３と、鍵盤蓋１０が開く方向に移動する際に鍵盤蓋１０のガイド軸部１４をガイドして第１軌道部２３の上側を通過させる第２軌道部２４とを備えている。
【００２４】
第１軌道部２３は、図３および図４に示すように、前側ガイド部１８のガイド溝部２０における前部、つまり前板３の上端部から立ち上り、この立ち上がった上部から後方に向けて緩やかに上昇を開始した傾斜部分に位置し、この箇所におけるガイド溝部２０内の底面が落ち込んだ形状に形成されている。
【００２５】
すなわち、この第１軌道部２３は、図４に示すように、その後部（図４では右側）から前側（図４では左側）に向けてガイド溝部２０内の底面が急な傾斜で落ち込むように形成された落ち込み部２３ａと、この落ち込み部２３ａの下部がほぼ平坦に形成されたランニング部２３ｂと、このランニング部２３ｂの前部（図４では左側部）に立ち上がって形成されたストッパ部２３ｃとを有している。
【００２６】
これにより、第１軌道部２３は、図５〜図７に示すように、鍵盤蓋１０が閉じる方向に移動して鍵盤蓋１０のガイド軸部１４が第１軌道部２３に到達すると、鍵盤蓋１０の自重によってガイド軸部１４が落ち込み部２３ａに沿って落ち込んでランニング部２３ｂ上を移動した上、ストッパ部２３ｃに当接して一旦停止し、この状態で鍵盤蓋１０の取手部１２を持ち上げて前側（図７では左側）に向けて引くことにより、ガイド軸部１４がストッパ部２３ｃを乗り越えて再びガイド溝部２０に沿って前側に向けて移動するように構成されている。
【００２７】
また、第２軌道部２４は、図３および図４に示すように、前側ガイド部１８のガイド溝部２０における第１軌道部２３の上側に位置する箇所に、ガイド溝部２０内の上面に沿って連続する状態で形成されている。すなわち、この第２軌道部２３は、図４に示すように、その後部（図４では右側）から前側（図４では左側）に向けてガイド溝部２０内の上面に沿って連続することにより、ガイド溝部２０内における第１軌道部２３の上方に位置した状態で設けられている。
【００２８】
これにより、第２軌道部２４は、図８〜図１１に示すように、鍵盤蓋１０が閉じた状態で鍵盤蓋１０の取手部１２を持ち上げながら開く方向に移動する際に、鍵盤蓋１０のガイド軸部１４がガイド溝部２０内の上面に沿って移動しながら、第２軌道部２４に到達すると、この第２軌道部２４の上面に沿ってガイド軸部１４が滑らかに移動することにより、ガイド軸部１４が第１軌道部２３に落ち込むことなく、第１軌道部２３の上方を通過するように構成されている。
【００２９】
次に、このような鍵盤蓋１０の蓋開閉装置１１の作用について説明する。
まず、鍵盤蓋１０が完全に開いている状態から鍵盤蓋１０を閉じる場合について説明する。このときには、図２に示すように、鍵盤蓋１０が楽器ケース１の天板６の下側に配置され、鍵盤蓋１０の前端部に位置するガイド軸部１４が前側ガイド部１８のガイド溝部２０の後端部に位置し、且つ鍵盤蓋１０の後端部に位置するシャフト１６が後側ガイド部１９の軸ガイド溝部２１の後端部に位置すると共に、シャフト１６の両側のピニオンギア１７が後側ガイド部１９のラックギア２２の後端部に位置している。この状態では、鍵盤蓋１０が楽器ケース１内に収納され、鍵盤部７が上側に開放されている。
【００３０】
この状態で、鍵盤蓋１０の取手部１２を手前側に引くと、図２に示すように、鍵盤蓋１０の前端部に位置するガイド軸部１４が前側ガイド部１８のガイド溝部２０の後端部から前側（図２では左側）に向けて移動し、且つ鍵盤蓋１０の後端部に位置するシャフト１６が後側ガイド部１９の軸ガイド溝部２１における後端部から前側（図２では左側）に向けて移動すると共に、シャフト１６の両側のピニオンギア１７が後側ガイド部１９のラックギア２２に噛み合った状態でラックギア２２の後端部から前側（図２では左側）に向けて回転移動する。
【００３１】
このときには、前側ガイド部１８のガイド溝部２０が前下がり（図２では左下り）に緩やかに傾斜しているが、後側ガイド部１９の軸ガイド溝部２１とラックギア２２とが前上がり（図２では左上がり）に緩やかに傾斜しているため、鍵盤蓋１０の重量が主にピニオンギア１７を介してラックギア２２に加わる。このため、鍵盤蓋１０の取手部１２を手前側に引く際には、その引き始めが重いが、鍵盤蓋１０が半分程度の長さ引き出されると、鍵盤蓋１０の重量がガイド軸部１４とピニオンギア１７とを介してガイド溝部２０とラックギア２２とにほぼ均等に加わる。
【００３２】
この状態で、更に鍵盤蓋１０が引き出されると、今度は、鍵盤蓋１０の重量がガイド軸部１４を介してガイド溝部２０に重く加わる。このため、鍵盤蓋１０を引き出す力が徐々に軽くなると共に、鍵盤蓋１０の引き出し速度が徐々に速くなり、鍵盤蓋１０が勢いよく、閉じる方向（図２では左側）に向けて移動する。
【００３３】
そして、鍵盤蓋１０の前端部が鍵盤部７の前部に移動し、鍵盤蓋１０の前端部に位置するガイド軸部１４がガイド溝部２０の第１、第２の各軌道部２３、２４の手前、つまり第１、第２の各軌道部２３、２４の後部側（図５では右側）に接近し、この状態で更に前側（図５では左側）に移動すると、図５に示すように、ガイド軸部１４が鍵盤蓋１０の自重によって第１軌道部２３内に落ち込む。
【００３４】
すなわち、ガイド軸部１４がガイド溝部２０の第１、第２の各軌道部２３、２４の手前（図２では右側）に接近した状態で、更に前側に移動するときには、図５に示すように、ガイド軸部１４が鍵盤蓋１０の重量によって押し下げられるので、このガイド軸部１４がガイド溝部２０の底面に連続する第１軌道部２３の落ち込み部２３ａに沿って第１軌道部２３内に落ち込む。
【００３５】
すると、ガイド軸部１４は、図５および図６に示すように、第１軌道部２３のランニング部２３ｂに沿って移動した後、第１軌道部２３のストッパ部２３ｃに当接する。これにより、ガイド軸部１４の移動が停止すると共に、鍵盤蓋１０が完全に閉じる前の状態で、鍵盤蓋１０の閉じる方向への移動が停止する。
【００３６】
この状態で、図７に示すように、鍵盤蓋１０の取手部１２を持ち上げると、ガイド軸部１４が第１軌道部２３のストッパ部２３ｃを乗り越えるので、ガイド軸部１４が第１軌道部２３の前側に位置するガイド溝部２０に戻り、このガイド溝部２０に沿って移動する。これにより、図１に示すように、ガイド軸部１４がガイド溝部２０の前端下部に位置すると共に、鍵盤蓋１０が鍵盤部７を覆って完全に閉じる。
【００３７】
次に、鍵盤部７を覆って閉じた状態の鍵盤蓋１０を開く場合につて説明する。
このときには、図８に示すように、鍵盤蓋１０の取手部１２を持ち上げながら後方（図８では右側）に向けて移動させると、ガイド軸部１４がガイド溝部２０の前端下部から上方に移動する。そして、図９に示すように、ガイド軸部１４がガイド溝部２０の第１、第２の各軌道部２３、２４の手前、つまり第１、第２の各軌道部２３、２４の前部側（図９では左側）に接近する。
【００３８】
この状態で更に鍵盤蓋１０の取手部１２を持ち上げながら後方（図９では右側）に向けて移動させると、ガイド軸部１４が第２軌道部２４内に導かれる。すなわち、ガイド軸部１４がガイド溝部２０の第１、第２の各軌道部２３、２４の手前に到達した状態で、更に鍵盤蓋１０の取手部１２を持ち上げながら後方（図９では右側）に向けて移動させる際には、図１０に示すように、ガイド軸部１４がガイド溝部２０内の上面に沿って移動するため、ガイド軸部１４が第１軌道部２３内に落ち込むことがなく、第２軌道部２４内を移動する。
【００３９】
この状態で、更に鍵盤蓋１０の取手部１２を持ち上げながら後方（図９では右側）に向けて移動させると、図１１に示すように、ガイド軸部１４が第２軌道部２４の上面に沿って移動する。このため、ガイド軸部１４が第１軌道部２３に落ち込むことがなく、ガイド軸部１４が第２軌道部２４でガイドされながら第１軌道部２３の上方を通過して、その後方（図１１では右側）に位置するガイド溝部２０内に戻る。
【００４０】
この後、図２に示すように、ガイド軸部１４はガイド溝部２０でガイドされながらガイド溝部２０の後端部に移動すると共に、鍵盤蓋１０の後端部に位置するシャフト１６が後側ガイド部１９の軸ガイド溝部２１における後端部に移動し、且つシャフト１６の両側のピニオンギア１７が後側ガイド部１９のラックギア２２に噛み合った状態でラックギア２２の後端部に回転移動する。これにより、鍵盤蓋１０が楽器ケース１の天板６の下側に配置されて開き、鍵盤部７を開放する。
【００４１】
ところで、楽器ケース１内に収納されている鍵盤蓋１０を引き出して閉じる際に、鍵盤蓋１０の取手部１２を持ち上げた状態のままで引き出して鍵盤蓋１０を閉じる場合には、図１２に示すように、鍵盤蓋１０の前端部に位置するガイド軸部１４がガイド溝部２０でガイドされて第１、第２の各軌道部２３、２４の手前、つまり第１、第２の各軌道部２３、２４の後部側（図１２では右側）に接近した状態で、更に前側に移動すると、ガイド軸部１４が第２軌道部２４内に導かれる。
【００４２】
すなわち、ガイド軸部１４が第１、第２の各軌道部２３、２４の手前に接近して、図１２に示すように、更に前側（図１２では左側）に移動する際には、鍵盤蓋１０の取手部１２が持ち上げられているため、ガイド軸部１４が第１軌道部２３内に落ちこむことがなく、第２軌道部２４内に導かれ、この第２軌道部２４によってガイドされる。このため、ガイド軸部１４が円滑にガイドされるので、鍵盤蓋１０がスムーズに移動して鍵盤部７を覆って閉じる。
【００４３】
このように、この鍵盤楽器の蓋開閉装置１１によれば、楽器ケース１にその前後方向にスライド可能に設けられて鍵盤部７を開閉自在に覆う鍵盤蓋１０に、この鍵盤蓋１０を楽器ケース１の前後方向にガイドする前側ガイド部１８のガイド溝部２０によってガイドされるガイド軸部１４が設けられており、ガイド溝部２０には、鍵盤蓋１０が閉じる方向に移動する際にガイド軸部１４が一旦落ち込む第１軌道部２３と、鍵盤蓋１０が開く方向に移動する際にガイド軸部１４をガイドして第１軌道部２３の上側を通過させる第２軌道部２４とが設けられているので、鍵盤蓋１０を安全に且つスムーズに開閉することができる。
【００４４】
すなわち、この鍵盤楽器の蓋開閉装置１１では、鍵盤部７を露出させて開いている状態の鍵盤蓋１０をスライドさせて鍵盤部７を閉じる際に、鍵盤蓋１０のガイド軸部１４を鍵盤蓋１０の自重でガイド溝部２０の第１軌道部２３に一旦落し込んで制動することができる。このため、鍵盤蓋１０の閉じる動作を一旦停止させることができるので、鍵盤蓋１０が勢い良く閉じるのを防ぐことができ、これにより鍵盤蓋１０を閉じる際に、手や指を挟んで怪我をすることがなく、安全に鍵盤蓋１０を閉じることができる。
【００４５】
この場合、この蓋開閉装置１１では、鍵盤蓋１０が閉じる方向に移動し、ガイド軸部１４がガイド溝部２０に沿って移動して第１軌道部２３と第２軌道部２４とに接近し、この状態で更にガイド軸部１４が前側に移動する際に、ガイド軸部１４がガイド溝部２０内の底面に沿って移動するので、鍵盤蓋１０の自重によってガイド軸部１４を第１軌道部２３の落ち込み部２３ａに沿って移動させて第１軌道部２３内に確実に落とし込むことができ、この落ち込んだガイド軸部１４を第１軌道部２３のストッパ部２３ｃで一旦停止させることができる。
【００４６】
また、この鍵盤楽器の蓋開閉装置１１では、鍵盤部７を覆っている鍵盤蓋１０をスライドさせて開く際に、鍵盤蓋１０のガイド軸部１４をガイド溝部２０の第２軌道部２４でガイドして第１軌道部２３の上側を通過させることができるので、この第２軌道部２４でガイド軸部１４を滑らかにガイドして鍵盤蓋１０を円滑に開くことができる。これにより、鍵盤蓋１０をスムーズに開くことができる。
【００４７】
すなわち、鍵盤蓋１０を開く際には、鍵盤蓋１０の前端部が持ち上げられながらガイド軸部１４がガイド溝部２０に沿って移動して第１軌道部２３と第２軌道部２４とに接近し、この状態で更にガイド軸部１４が後側に移動すると、鍵盤蓋１０が持ち上げられているので、ガイド軸部１４が第１軌道部２３内に落ち込むことなく、ガイド軸部１４を第２軌道部２４内に導くことができると共に、この第２軌道部２４によってガイド軸部１４を滑らかにガイドしてその後方に位置するガイド溝部２０にスムーズに導くことができる。
【００４８】
さらに、この蓋開閉装置１１によれば、開いた状態の鍵盤蓋１０の前端部を持ち上げた状態のままで引き出して鍵盤蓋１０を閉じる際に、鍵盤蓋１０が持ち上げられているため、ガイド軸部１４が第１軌道部２３内に落ちこむことがなく、ガイド軸部１４を第２軌道部２４内に導いて滑らかにガイドすることができる。このため、第２軌道部２４によってガイド軸部１４を円滑にガイドすることができるので、鍵盤蓋１０をスムーズに移動させて閉じることができる。
【００４９】
（実施形態２）
次に、図１３〜図２２を参照して、この発明を鍵盤楽器に適用した実施形態２について説明する。なお、図１〜図１２に示された実施形態１と同一部分には同一符号を付して説明する。
この鍵盤楽器は、図１３および図１４に示すように、ガイド軸部１４をガイドするガイド溝部２０の軌道を、第１軌道部２３と第２軌道部２４とのいずれかに規制するための軌道規制部２７を備えた構成であり、これ以外は実施形態１とほぼ同じ構成になっている。
【００５０】
この軌道規制部２７は、図１３および図１４に示すように、ガイド溝部２０における第１軌道部２３と第２軌道部２４との間に設けられている。この軌道規制部２７は、その上面が平坦面をなし、下面側が第１軌道部２３に沿う形状に形成されている。すなわち、この軌道規制部２７は、その上面が第２軌道部２４の上面と平行な状態で対応する平坦面に形成され、下面が第１軌道部２３の落ち込み部２３ａ、ランニング部２３ｂ、ストッパ部２３ｃにそれぞれ平行な状態で対応する屈曲面に形成されている。
【００５１】
これにより、軌道規制部２７は、図１５〜図１７に示すように、鍵盤蓋１０が閉じる方向に移動して鍵盤蓋１０のガイド軸部１４が第１軌道部２３に接近すると、鍵盤蓋１０の自重によってガイド軸部１４を第１軌道部２３の落ち込み部２３ａに沿って落し込ませて、第１軌道部２３のランニング部２３ｂ上を移動させた上、第１軌道部２３のストッパ部２３ｃに当接させて一旦停止させるように構成されている。
【００５２】
また、この軌道規制部２７は、図１８〜図２１に示すように、鍵盤蓋１０が閉じた状態で鍵盤蓋１０の取手部１２を持ち上げながら開く方向に移動する際に、鍵盤蓋１０のガイド軸部１４が第２軌道部２４に接近すると、ガイド軸部１４を第１軌道部２３内に落とし込むことなく、第１軌道部２３の上方を通過させるように、ガイド軸部１４を第２軌道部２４に導き、この第２軌道部２４内に沿って滑らかに移動させるように構成されている。
【００５３】
さらに、この軌道規制部２７は、図２２に示すように、鍵盤蓋１０が閉じる方向に移動する際に、鍵盤蓋１０の取手部１２を持ち上げながら移動させると、鍵盤蓋１０のガイド軸部１４が第１軌道部２３に接近しても、ガイド軸部１４を第１軌道部２３内に落し込むことなく、第１軌道部２３の上側に位置する第２軌道部２４に導き、この第２軌道部２４内でガイド軸部１４を滑らかに移動させるように構成されている。
【００５４】
次に、この実施形態２における鍵盤楽器の蓋開閉装置１１の作用について説明する。
まず、鍵盤蓋１０が完全に開いている状態から鍵盤蓋１０を閉じる場合について説明する。このときには、鍵盤蓋１０の取手部１２を手前側に引くと、実施形態１と同様、鍵盤蓋１０の前端部に位置するガイド軸部１４が前側ガイド部１８のガイド溝部２０の後端部から前側に向けて移動する。
【００５５】
これと同時に、鍵盤蓋１０の後端部に位置するシャフト１６が後側ガイド部１９の軸ガイド溝部２１における後端部から前側に向けて移動すると共に、シャフト１６の両側のピニオンギア１７が後側ガイド部１９のラックギア２２に噛み合った状態でラックギア２２の後端部から前側に向けて回転移動する。
【００５６】
そして、鍵盤蓋１０の前端部が鍵盤部７の前部に移動し、図１５に示すように、鍵盤蓋１０の前端部に位置するガイド軸部１４がガイド溝部２０の第１、第２の各軌道部２３、２４の手前、つまり第１、第２の各軌道部２３、２４の後部側（図１５では右側）に接近し、この状態で更に前側（図１５では左側）に移動すると、ガイド軸部１４が鍵盤蓋１０の自重によって第１軌道部２３内に落ち込む。
【００５７】
すなわち、ガイド軸部１４がガイド溝部２０の第１、第２の各軌道部２３、２４の手前に接近した状態で、更に前側に移動するときには、図１５に示すように、ガイド軸部１４が鍵盤蓋１０の重量によって押し下げられるので、実施形態１と同様、このガイド軸部１４がガイド溝部２０の底面に連続する第１軌道部２３の落ち込み部２３ａに沿って第１軌道部２３と軌道規制部２７との間に落ち込む。
【００５８】
すると、ガイド軸部１４は、図１６に示すように、第１軌道部２３のランニング部２３ｂに沿って移動した後、第１軌道部２３のストッパ部２３ｃに当接する。これにより、ガイド軸部１４が軌道規制部２７の下側に位置した状態で、ガイド軸部１４の移動が停止すると共に、鍵盤蓋１０が完全に閉じる前の状態で、鍵盤蓋１０の閉じる方向への移動が停止する。
【００５９】
この状態で、鍵盤蓋１０の取手部１２を持ち上げると、図１７に示すように、ガイド軸部１４が第１軌道部２３のストッパ部２３ｃを乗り越えて軌道規制部２７の上側に位置するので、ガイド軸部１４が第１軌道部２３の前側に位置するガイド溝部２０に戻り、このガイド溝部２０に沿って移動する。これにより、ガイド軸部１４がガイド溝部２０の前端下部に位置すると共に、鍵盤蓋１０が図１に示すように鍵盤部７を覆って完全に閉まる。
【００６０】
次に、鍵盤部７を覆って閉じた状態の鍵盤蓋１０を開く場合につて説明する。
このときには、図１８に示すように、鍵盤蓋１０の取手部１２を持ち上げながら後方（図１８では右側）に向けて移動させると、ガイド軸部１４がガイド溝部２０の前端下部から上方に移動する。そして、図１９に示すように、ガイド軸部１４がガイド溝部２０の第１、第２の各軌道部２３、２４の手前、つまり第１、第２の各軌道部２３、２４の後部側（図１９では左側）に接近し、この状態で更に鍵盤蓋１０の取手部１２を持ち上げながら後方（図１９では右側）に向けて移動させると、ガイド軸部１４が第２軌道部２４内に導かれる。
【００６１】
すなわち、ガイド軸部１４がガイド溝部２０の第１、第２の各軌道部２３、２４の手前に接近した状態で、更に鍵盤蓋１０の取手部１２を持ち上げながら後方（図１９では左側）に向けて移動させる際には、図２０に示すように、ガイド軸部１４がガイド溝部２０内の上面に沿って移動する。このため、ガイド軸部１４が第１軌道部２３内に落ち込むことがなく、ガイド軸部１４が第２軌道部２４と軌道規制部２７との間に挿入する。
【００６２】
この状態で、更に鍵盤蓋１０の取手部１２を持ち上げながら後方（図２０では右側）に向けて移動させると、図２１に示すように、ガイド軸部１４が第２軌道部２４の上面に沿って移動する。このため、ガイド軸部１４が第１軌道部２３内に落ち込むことがなく、ガイド軸部１４が第２軌道部２４と軌道規制部２７とでガイドされながら第１軌道部２３の上方を通過して、その後方（図２１では右側）に位置するガイド溝部２０内に戻る。
【００６３】
この後は、実施形態１と同様、ガイド軸部１４がガイド溝部２０でガイドされながらガイド溝部２０の後端部に移動すると共に、鍵盤蓋１０の後端部に位置するシャフト１６が後側ガイド部１９の軸ガイド溝部２１における後端部に移動し、且つシャフト１６の両側のピニオンギア１７が後側ガイド部１９のラックギア２２に噛み合った状態でラックギア２２の後端部に回転移動する。これにより、鍵盤蓋１０が楽器ケース１の天板６の下側に配置されて開き、鍵盤部７を開放する。
【００６４】
ところで、楽器ケース１内に収納されている鍵盤蓋１０を引き出して閉じる際に、鍵盤蓋１０の取手部１２を持ち上げた状態のままで引き出して鍵盤蓋１０を閉じる場合には、図２２に示すように、鍵盤蓋１０の前端部に位置するガイド軸部１４がガイド溝部２０でガイドされて第１、第２の各軌道部２３、２４の手前に接近し、この状態で更に前側に移動すると、ガイド軸部１４が第２軌道部２４内に導かれる。
【００６５】
すなわち、ガイド軸部１４が第１、第２の各軌道部２３、２４の手前に接近して、更に前側に移動する際には、図２２に示すように、鍵盤蓋１０の取手部１２が持ち上げられているため、ガイド軸部１４が第１軌道部２３内に落ちこむことがなく、ガイド軸部１４が第２軌道部２４と軌道規制部２７との間に導かれ、この第２軌道部２４と軌道規制部２７とによってガイドされる。このため、ガイド軸部１４が円滑にガイドされるので、鍵盤蓋１０がスムーズに移動して鍵盤部７を覆って閉じる。
【００６６】
このように、この実施形態２における鍵盤楽器の蓋開閉装置１１においても、実施形態１と同様の作用効果があるほか、鍵盤蓋１０のガイド軸部１４が移動するガイド溝部２０の軌道を、第１軌道部２３と第２軌道部２４とのいずれかに規制するための軌道規制部２７を備えているので、鍵盤蓋１０を開閉する際に、軌道規制部２７によってガイド軸部１４を第１軌道部２３と第２軌道部２４とのいずれかに確実に導くことができ、これにより鍵盤蓋１０を良好に開閉させることができる。
【００６７】
すなわち、この実施形態２の蓋開閉装置１１では、鍵盤蓋１０が閉じる方向に移動し、ガイド軸部１４がガイド溝部２０に沿って移動して第１軌道部２３と第２軌道部２４との前部に接近し、この状態で更にガイド軸部１４が前側に移動する際に、鍵盤蓋１０の自重によってガイド軸部１４が少しでも第１軌道部２３に落ち込むと、そのガイド軸部１４が前側に移動しても軌道規制部２７の後端部に当接するので、この軌道規制部２７によって確実にガイド軸部１４を第１軌道部２３内に導くことができる。
【００６８】
また、この蓋開閉装置１１では、鍵盤蓋１０の前端部が持ち上げられながら鍵盤蓋１０が開く方向に移動し、ガイド軸部１４がガイド溝部２０に沿って移動して第１軌道部２３と第２軌道部２４との前部に接近し、この状態で更にガイド軸部１４が後側に移動する際に、鍵盤蓋１０が持ち上げられているので、ガイド軸部１４が第１軌道部２３内に落ち込むことなく、第２軌道部２４に導くことができると共に、この第２軌道部２４に導かれた状態で、鍵盤蓋１０を持ち上げている持上げ力が低下しても、軌道規制部２７によってガイド軸部１４が第１軌道部２３内に落ち込むのを確実に防ぐことができる。
【００６９】
さらに、この蓋開閉装置１１によれば、開いた状態の鍵盤蓋１０を持ち上げた状態のままで引き出して鍵盤蓋１０を閉じる際に、鍵盤蓋１０が持ち上げられているため、ガイド軸部１４が第１軌道部２３内に落ちこむことがなく、ガイド軸部１４を第２軌道部２４と軌道規制部２７との間に導いて滑らかにガイドすることができる。
【００７０】
このときに、仮に、鍵盤蓋１０を持ち上げている持上げ力が低下しても、軌道規制部２７によってガイド軸部１４が第１軌道部２３に落ち込むのを確実に防ぐことができる。このため、第２軌道部２４と軌道規制部２７とによってガイド軸部１４を円滑にガイドすることができるので、鍵盤蓋１０をスムーズに移動させて閉じることができる。
【００７１】
（実施形態３）
次に、図２３〜図３２を参照して、この発明を鍵盤楽器に適用した実施形態３について説明する。この場合にも、図１〜図１２に示された実施形態１と同一部分に同一符号を付して説明する。
この鍵盤楽器は、図２３および図２４に示すように、ガイド軸部１４をガイドするためのガイド溝部２０の軌道を、第１軌道部２３と第２軌道部２４とのいずれかに切り替えて規制するための軌道規制部３０が実施形態１と異なる構成であり、これ以外は実施形態１とほぼ同じ構成になっている。
【００７２】
この軌道規制部３０は、図２３および図２４に示すように、第１軌道部２３の出口であるストッパ部２３ｃの上部を開閉可能に塞ぐ可動板３１と、この可動板３１を支持して可動板３１と共に回転する回転軸３２と、この回転軸３２を回転自在に支持する支持部材３３と、可動板３１が第１軌道部２３の出口を塞ぐように可動板３１を付勢するための付勢部材３４とを備えている。
【００７３】
この場合、可動板３１は、図２３に示すように、第１軌道部２３と第２軌道部２４との間で、且つ第１軌道部２３の出口であるストッパ部２３ｃの上側に開閉可能に配置されている。回転軸３２は、図２４に示すように、一端部が第１軌道部２３と第２軌道部２４との間におけるほぼ中間部に配置され、この一端部に可動板３１が取り付けられて可動板３１と共に回転するように構成されている。
【００７４】
また、この回転軸３２は、図２３および図２４に示すように、その他端部が前側ガイド部１８の挿入孔１８ａを通り抜けて楽器ケース１の側板５中に突出し、突出した他端部が支持部材３３に回転自在に取り付けられるように構成されている。この場合、回転軸３２は、その他端部に小径の取付部３２ａが設けられ、この小径の取付部３２ａに付勢部材３４が取り付けられるように構成されている。
【００７５】
支持部材３３は、図２４に示すように、上板３３ａと下板３３ｂとを備え、楽器ケース１の側板５中に配置されている。この場合、上板３３ａには、回転軸３２を回転可能に保持する軸取付溝３３ｃが設けられている。これにより、支持部材３３は、上板３３ａの軸取付溝３３ｃ内に、付勢部材３４が取り付けられた回転軸３２の他端部を配置した状態で、上板３３ａが下板３３ｂ上にビス止めによって取り付けられ、この下板３３ｂが側板５中に取り付けられるように構成されている。
【００７６】
また、付勢部材３４は、図２４に示すように、コイルばねからなり、回転軸３２の取付部３２ａの外周に巻き付けられ、この状態でコイルばねの一端部３４ａが回転軸３２の係止穴３２ｂに係止され、コイルばねの他端部３４ｂが支持部材３３の下板３３ｂの係止孔３３ｄに係止され、これにより回転軸３２を図２３において反時計回りに回転させる方向に付勢するように構成されている。
【００７７】
すなわち、この付勢部材３４は、回転軸３２を図２３において反時計回りに回転させて、この回転軸３２に取り付けられた可動板３１を図２３において時計回りに回転させることにより、この可動板３１が第１軌道部２３の出口、つまり第１軌道部２３のストッパ部２３ｃの上側を開閉可能に塞ぐように構成されている。
【００７８】
次に、この実施形態３における鍵盤楽器の蓋開閉装置１１の作用について説明する。
まず、鍵盤蓋１０が完全に開いている状態から鍵盤蓋１０を閉じる場合について説明する。このときには、鍵盤蓋１０の取手部１２を手前側に引くと、実施形態１と同様、鍵盤蓋１０の前端部に位置するガイド軸部１４が前側ガイド部１８のガイド溝部２０の後端部から前側に向けて移動する。
【００７９】
これと同時に、鍵盤蓋１０の後端部に位置するシャフト１６が後側ガイド部１９の軸ガイド溝部２１における後端部から前側に向けて移動すると共に、シャフト１６の両側のピニオンギア１７が後側ガイド部１９のラックギア２２に噛み合った状態でラックギア２２の後端部から前側に向けて回転移動する。
【００８０】
そして、鍵盤蓋１０の前端部が鍵盤部７の前部に移動し、図２５に示すように、鍵盤蓋１０の前端部に位置するガイド軸部１４がガイド溝部２０の第１、第２の各軌道部２３、２４の手前、つまり第１、第２の各軌道部２３、２４の後部側（図２５では右側）に接近し、この状態で更に前側（図２５では左側）に移動すると、ガイド軸部１４が鍵盤蓋１０の自重によって第１軌道部２３内に落ち込む。
【００８１】
すなわち、ガイド軸部１４がガイド溝部２０の第１、第２の各軌道部２３、２４の手前に接近した状態で、更に前側に移動するときには、図２５に示すように、ガイド軸部１４が鍵盤蓋１０の重量によって押し下げられるので、実施形態１と同様、このガイド軸部１４がガイド溝部２０の底面に連続する第１軌道部２３の落ち込み部２３ａに沿って第１軌道部２３内に落ち込む。
【００８２】
すると、ガイド軸部１４は、図２６に示すように、第１軌道部２３のランニング部２３ｂに沿って移動した後、第１軌道部２３のストッパ部２３ｃに当接する。これにより、ガイド軸部１４が軌道規制部３０の可動板３１の下側に位置した状態で、実施形態１と同様、ガイド軸部１４の移動が停止すると共に、鍵盤蓋１０が完全に閉じる前の状態で、鍵盤蓋１０の閉じる方向への移動が停止する。
【００８３】
この状態で、鍵盤蓋１０の取手部１２を持ち上げると、図２７に示すように、ガイド軸部１４が軌道規制部３０の付勢部材３４の付勢力に抗して可動板３１を押し上げる。すると、可動板３１が回転軸３２を中心に時計回りに回転し、第１軌道部２３の出口であるストッパ部２３ｃの上側が開放される。これにより、ガイド軸部１４が第１軌道部２３のストッパ部２３ｃを乗り越え、図２７に示すように、ガイド軸部１４が第１軌道部２３の前側に位置するガイド溝部２０に戻る。
【００８４】
このように、ガイド軸部１４が第１軌道部２３のストッパ部２３ｃを乗り越えて第１軌道部２３の前側に位置するガイド溝部２０に戻ると、軌道規制部３０の付勢部材３４の付勢力によって可動板３１が回転軸３２を中心に反時計回りに回転し、第１軌道部２３の出口であるストッパ部２３ｃの上側を再び塞ぐ。このときには、ガイド軸部１４がガイド溝部２０に沿って移動するので、実施形態１と同様、ガイド軸部１４がガイド溝部２０の前端下部に位置すると共に、鍵盤蓋１０が鍵盤部７を覆って完全に閉じる。
【００８５】
次に、鍵盤部７を覆って閉じた状態の鍵盤蓋１０を開く場合につて説明する。
このときには、図２８に示すように、鍵盤蓋１０の取手部１２を持ち上げながら後方（図２８では右側）に向けて移動させると、ガイド軸部１４がガイド溝部２０の前端下部から上方に移動する。そして、図２９に示すように、ガイド軸部１４がガイド溝部２０の第１、第２の各軌道部２３、２４の手前に接近し、この状態で更に鍵盤蓋１０の取手部１２を持ち上げながら後方（図２９では右側）に向けて移動させると、ガイド軸部１４が第２軌道部２４内に導かれる。
【００８６】
すなわち、このときには、軌道規制部３０の付勢部材３４の付勢力によって可動板３１が第１軌道部２３の出口であるストッパ部２３ｃの上側を塞いでいるので、図３０に示すように、可動板３１上をガイド軸部１４が移動する。このため、ガイド軸部１４は第１軌道部２３内に落ち込むことがなく、第２軌道部２４内を移動する。
【００８７】
この状態で、更に鍵盤蓋１０の取手部１２を持ち上げながら後方（図３１では左側）に向けて移動させると、図３１に示すように、ガイド軸部１４が第２軌道部２４の上面に沿って移動する。このため、ガイド軸部１４が第１軌道部２３内に落ち込むことがなく、ガイド軸部１４が第２軌道部２４でガイドされながら第１軌道部２３の上方を通過して、その後方（図３１では右側）に位置するガイド溝部２０内に戻る。
【００８８】
この後は、実施形態１と同様、ガイド軸部１４はガイド溝部２０でガイドされながらガイド溝部２０の後端部に移動すると共に、鍵盤蓋１０の後端部に位置するシャフト１６が後側ガイド部１９の軸ガイド溝部２１における後端部に移動し、且つシャフト１６の両側のピニオンギア１７が後側ガイド部１９のラックギア２２に噛み合った状態でラックギア２２の後端部に回転移動する。これにより、鍵盤蓋１０が楽器ケース１の天板６の下側に配置されて開き、鍵盤部７を開放する。
【００８９】
ところで、楽器ケース１内に収納されている鍵盤蓋１０を引き出して閉じる際に、鍵盤蓋１０の取手部１２を持ち上げた状態のままで引き出して鍵盤蓋１０を閉じる場合には、鍵盤蓋１０の前端部に位置するガイド軸部１４がガイド溝部２０でガイドされて、第１、第２の各軌道部２３、２４の手前に接近し、この状態で更に前側に移動すると、図３２に示すように、ガイド軸部１４が第２軌道部２４内に導かれる。
【００９０】
すなわち、ガイド軸部１４が第１、第２の各軌道部２３、２４の手前に接近して、更に前側に移動する際には、図３２に示すように、鍵盤蓋１０の取手部１２が持ち上げられているため、ガイド軸部１４が第１軌道部２３内に落ちこむことがなく、ガイド軸部１４が第２軌道部２４内に導かれ、軌道規制部３０の可動居た３１上を移動しながら第２軌道部２４に沿ってガイドされる。
【００９１】
このときにも、軌道規制部３０の付勢部材３４の付勢力によって可動板３１が第１軌道部２３の出口であるストッパ部２３ｃの上側を塞いでいるので、この可動板３１上をガイド軸部１４が移動する。このため、ガイド軸部１４は第１軌道部２３の出口であるストッパ部２３ｃに対応する箇所に落ち込むことがなく、第２軌道部２４内を移動し、第２軌道部２４の前側に位置するガイド溝部２０に戻る。これにより、ガイド軸部１４が円滑にガイドされるので、鍵盤蓋１０がスムーズに移動して鍵盤部７を覆って閉じる。
【００９２】
このように、この実施形態３における鍵盤楽器の蓋開閉装置１１においても、実施形態１と同様の作用効果があるほか、軌道規制部３０が、鍵盤蓋１０を開く際に第１軌道部２３を塞いでガイド軸部１４を第２軌道部２４内に導くと共に、鍵盤蓋１０を閉じる際にガイド軸部１４によって第１軌道部２３を開放する構成であることにより、実施形態１よりも、確実に且つ良好に鍵盤蓋１０を安全に且つスムーズに開閉させることができる。
【００９３】
すなわち、この実施形態３の蓋開閉装置１１では、鍵盤蓋１０を開く際に軌道規制部３０が第１軌道部２３を塞いでいるので、ガイド軸部１４が第１軌道部２３に落ち込むことがなく、ガイド軸部１４を第２軌道部２４に確実に且つ円滑に導くことができ、また鍵盤蓋１０を閉じる際にガイド軸部１４が第１軌道部２３に落ち込んでストッパ部２３ｃで一旦停止し、この状態で鍵盤蓋１０を持ち上がると、ガイド軸部１４によって軌道規制部３０が第１軌道部２３を開放するので、ガイド軸部１４がストッパ部２３ｃを良好に乗り越えて鍵盤蓋１０を円滑に且つ良好に閉じることができる。
【００９４】
この場合、実施形態３の蓋開閉装置１１は、軌道規制部３０が、第１軌道部２３の出口であるストッパ部２３ｃの上部を開閉可能に塞ぐ可動板３１と、この可動板３１を支持して可動板３１と共に回転する回転軸３２と、この回転軸３２を回転自在に支持する支持部材３３と、可動板３１が第１軌道部２３の出口を塞ぐように可動板３１を付勢するための付勢部材３４とを備えているので、付勢部材３４の付勢力によって可動板３１が回転軸３２と共に回転し、この可動板３１によって第１軌道部２３の出口であるストッパ部２３ｃの上部を開閉可能に塞ぐことができ、これにより鍵盤蓋１０を開く際に、ガイド軸部１４を可動板３１によって第２軌道部２４に確実に且つ円滑に導くことができる。
【００９５】
また、鍵盤蓋１０を閉じる際には、ガイド軸部１４が第１軌道部２３に落ち込んでストッパ部２３ｃで一旦停止し、この状態で鍵盤蓋１０を持ち上がると、ガイド軸部１４が付勢部材３４の付勢力に抗して回転軸３２を中心に可動板３１を回転させることができるので、可動板３１が第１軌道部２３の出口であるストッパ部２３ｃの上部を開放させることができ、これによりガイド軸部１４がストッパ部２３ｃを良好に乗り越えて鍵盤蓋１０を円滑に且つ良好に閉じることができる。
【００９６】
さらに、この実施形態３の蓋開閉装置１１では、開いた状態の鍵盤蓋１０を持ち上げた状態のままで引き出して鍵盤蓋１０を閉じる際に、鍵盤蓋１０が持ち上げられていることにより、ガイド軸部１４が第１軌道部２３内に落ちこむことがなく、ガイド軸部１４を第２軌道部２４内に導いて滑らかにガイドすることができると共に、可動板３１が第１軌道部２３の出口であるストッパ部２３ｃの上部を塞いでいるので、第２軌道部２４に導かれたガイド軸部１４を第２軌道部２４によって円滑に且つスムーズにガイドすることができ、これにより鍵盤蓋１０をスムーズに移動させて閉じることができる。
【００９７】
（実施形態４）
次に、図３３〜図４２を参照して、この発明を鍵盤楽器に適用した実施形態４について説明する。この場合には、図２３〜図３２に示された実施形態３と同一部分に同一符号を付して説明する。
この鍵盤楽器は、図３３および図３４に示すように、ガイド軸部１４をガイドするためのガイド溝部２０の軌道を、第１軌道部２３と第２軌道部２４とのいずれかに切り替えて規制するための軌道規制部４０が実施形態２と異なる構成であり、これ以外は実施形態３とほぼ同じ構成になっている。
【００９８】
すなわち、この軌道規制部４０は、図３３および図３４に示すように、鍵盤蓋１０が開く際に第１軌道部２３を塞いでガイド軸部１４を第２軌道部２４に導く第１規制部４１と、鍵盤蓋１０が閉じる際に第２軌道部２４を塞いでガイド軸部１４を第１軌道部２３に導く第２規制部４２とを備えている。この場合、軌道規制部４０は、第１規制部４１と第２規制部４２がそれぞれ可動する可動板であり、これ以外は実施形態３とほぼ同じ構成になっている。
【００９９】
この軌道規制部４０は、図３３および図３４に示すように、第１軌道部２３の出口であるストッパ部２３ｃの上部を開閉可能に塞ぐ第１規制部４１と、第２軌道部２４の出口である第１軌道部２３の落ち込み部２３ａに対応する箇所を開閉可能に塞ぐ第２規制部４２と、第１、第２の各規制部４１、４２を一体的に支持して回転する回転軸３２と、この回転軸３２を回転自在に支持する支持部材３３と、第１、第２の各規制部４１、４０が第１、第２の各軌道部２３、２４の各出口をそれぞれ塞ぐ方向に向けて回転軸３２が回転するように付勢する付勢部材３４とを備えている。
【０１００】
これにより、軌道規制部４０は、図３３および図３４に示すように、付勢部材３４の付勢力によって回転軸３２が図３３において反時計回りに回転する方向に付勢されていることにより、第１規制部４１が第１軌道部２３の出口、つまり第１軌道部２３のストッパ部２３ｃの上側を塞いで第２軌道部２４の入口を開放すると共に、第２規制部４２が第２軌道部２４の出口、つまり第１軌道部２３の落ち込み部２３ａの上側に位置する箇所の第２軌道部２４を塞いで第１軌道部２４の入口を開放するように構成されている。
【０１０１】
また、この軌道規制部４０は、図３３および図３４に示すように、鍵盤蓋１０が閉じる方向に移動してガイド軸部１４が第１、第２の各軌道部２３、２４の手前側に接近した際に、第２軌道部２４を塞いでいる第２規制部４２によってガイド軸部１４を第１軌道部２３内に導くように構成されている。
【０１０２】
また、この軌道規制部４０は、図３３および図３４に示すように、ガイド軸部１４が第１軌道部２３に導かれてストッパ部２３ｃに当接して停止されている状態で、鍵盤蓋１０が持ち上げられると、ガイド軸部１４が付勢部材３４の付勢力に抗して第１規制部４１を押し上げて第２規制部４２と共に回転させることにより、第１軌道部２３の出口を開くように構成されている。
【０１０３】
さらに、この軌道規制部４０は、図３３および図３４に示すように、ガイド軸部１４が第１規制部４１を第２規制部４２と共に回転させて第１軌道部２３の出口を開きながら第１軌道部２３のストッパ部２３ｃを乗り越えた際に、付勢部材３４の付勢力によって第１、第２の各規制部４１、４２が回転軸３２を中心に回転し、第１規制部４１が第１軌道部２３の出口を塞ぐと共に、第２規制部４２が第２軌道部２４の出口を塞ぐように構成されている。
【０１０４】
また、この軌道規制部４０は、図３３および図３４に示すように、鍵盤蓋１０を開く方向に移動させてガイド軸部１４が第１、第２の各軌道部２３、２４の手前側に接近した際に、第１軌道部２３を塞いでいる第１規制部４１上を移動することにより、ガイド軸部１４を第２軌道部２４内に導き、このガイド軸部１４が第２軌道部２４を通過し終わるときに、ガイド軸部１４が付勢部材３４の付勢力に抗して第２規制部４２を押し倒して第１規制部４１と共に回転させて、第２軌道部２４の出口を開くように構成されている。
【０１０５】
さらにまた、この軌道規制部４０は、図３３および図３４に示すように、ガイド軸部１４が第２規制部４２を押し倒して第１規制部４１と共に回転させて第２軌道部２４の出口を開きながら第２軌道部２を通過した際に、付勢部材３４の付勢力によって第１、第２の各規制部４１、４２が回転軸３２を中心に反時計回りに回転し、第１規制部４１が第１軌道部２３の出口を塞ぐと共に、第２規制部４２が第２軌道部２４の出口を塞ぐように構成されている。
【０１０６】
次に、この実施形態４における鍵盤楽器の蓋開閉装置１１の作用について説明する。
まず、鍵盤蓋１０が完全に開いている状態から鍵盤蓋１０を閉じる場合について説明する。このときには、鍵盤蓋１０の取手部１２を手前側に引くと、実施形態１と同様、鍵盤蓋１０の前端部に位置するガイド軸部１４が前側ガイド部１８のガイド溝部２０の後端部から前側に向けて移動する。
【０１０７】
これと同時に、鍵盤蓋１０の後端部に位置するシャフト１６が後側ガイド部１９の軸ガイド溝部２１における後端部から前側に向けて移動すると共に、シャフト１６の両側のピニオンギア１７が後側ガイド部１９のラックギア２２に噛み合った状態でラックギア２２の後端部から前側に向けて回転移動する。
【０１０８】
そして、鍵盤蓋１０の前端部が鍵盤部７の前部に移動し、図３５に示すように、鍵盤蓋１０の前端部に位置するガイド軸部１４がガイド溝部２０の第１、第２の各軌道部２３、２４の手前、つまり第１、第２の各軌道部２３、２４の後部側（図３５では右側）に接近し、この状態で更に前側に移動すると、ガイド軸部１４が鍵盤蓋１０の自重によって第１軌道部２３内に落ち込む。
【０１０９】
すなわち、ガイド軸部１４がガイド溝部２０の第１、第２の各軌道部２３、２４の手前に接近した状態で、更に前側に移動するときには、図３５に示すように、第２軌道部２４の出口が第２規制部４２によって塞がれていると共に、ガイド軸部１４が鍵盤蓋１０の重量によって押し下げられるので、実施形態３と同様、このガイド軸部１４がガイド溝部２０の底面に連続する第１軌道部２３の落ち込み部２３ａに沿って第１軌道部２３内に落ち込む。
【０１１０】
すると、ガイド軸部１４は、図３６に示すように、第１軌道部２３のランニング部２３ｂに沿って移動した後、第１軌道部２３のストッパ部２３ｃに当接する。これにより、軌道規制部４０の第１規制部４１の下側に位置した状態で、実施形態３と同様、ガイド軸部１４の移動が停止すると共に、鍵盤蓋１０が完全に閉じる前の状態で、鍵盤蓋１０の閉じる方向への移動が停止する。
【０１１１】
この状態で、鍵盤蓋１０の取手部１２を持ち上げると、図３７に示すように、ガイド軸部１４が軌道規制部４０の付勢部材３４の付勢力に抗して第１規制部４１を押し上げる。すると、第１規制部４１が第２規制部４２と共に回転軸３２を中心に時計回りに回転し、第１軌道部２３の出口であるストッパ部２３ｃの上側を開放する。これにより、ガイド軸部１４が第１軌道部２３のストッパ部２３ｃを乗り越え、図３７に示すように、ガイド軸部１４が第１軌道部２３の前側（図３７では左側）に位置するガイド溝部２０に戻る。
【０１１２】
このように、ガイド軸部１４が第１軌道部２３のストッパ部２３ｃを乗り越えて第１軌道部２３の前側に位置するガイド溝部２０に戻ると、軌道規制部４０の付勢部材３４の付勢力によって第１、第２の各規制部４１、４２が回転軸３２を中心に反時計回りに回転し、第１規制部４１が第１軌道部２３の出口であるストッパ部２３ｃの上側を再び塞ぐと共に、第２規制部４２が第２軌道部２４の出口を塞ぐ。このときには、ガイド軸部１４がガイド溝部２０に沿って更に移動するので、実施形態１と同様、ガイド軸部１４がガイド溝部２０の前端下部に位置すると共に、鍵盤蓋１０が鍵盤部７を覆って完全に閉じる。
【０１１３】
次に、鍵盤部７を覆って閉じた状態の鍵盤蓋１０を開く場合につて説明する。
このときには、図３８に示すように、鍵盤蓋１０の取手部１２を持ち上げながら後方（図３８では右側）に向けて移動させると、ガイド軸部１４がガイド溝部２０の前端下部から上方に移動する。そして、図３９に示すように、ガイド軸部１４がガイド溝部２０の第１、第２の各軌道部２３、２４の手前（図３９では左側）に接近し、この状態で更に鍵盤蓋１０の取手部１２を持ち上げながら後方（図３９では右側）に向けて移動させると、ガイド軸部１４が第２軌道部２４内に導かれる。
【０１１４】
このときには、図３９に示すように、軌道規制部４０の付勢部材３４の付勢力によって第１規制部４１が第１軌道部２３の出口であるストッパ部２３ｃの上側を塞いでいるので、図４０に示すように、第１規制部４１上をガイド軸部１４が移動する。このため、ガイド軸部１４は第１軌道部２３内に落ち込むことがなく、第２軌道部２４内を移動する。
【０１１５】
この状態で、更に鍵盤蓋１０を後方（図４０では右側）に向けて移動させると、図４０に示すように、ガイド軸部１４が第２軌道部２４に沿って移動し、第２軌道部２４の出口、つまり第１軌道部２３の落ち込み部２３ａに対応する箇所の第２軌道部２４に到達し、図４１に示すように、ガイド軸部１４が軌道規制部４０の付勢部材３４の付勢力に抗して第２規制部４２を押し倒す。すると、第２規制部４２が第１規制部４１と共に回転軸３２を中心に時計回りに回転し、第１軌道部２３の入口を塞いで第２軌道部２４の出口を開放する。
【０１１６】
これにより、ガイド軸部１４が第２規制部４２上を移動しながら第２軌道部２４を通過し、図４２に示すように、ガイド軸部１４が第１、第２の各軌道部２３、２４の後側（図４２では右側）に位置するガイド溝部２０に戻る。このときには、軌道規制部４０の付勢部材３４の付勢力によって第１、第２の各規制部４１、４２が回転軸３２を中心に反時計回りに回転し、第１規制部４１が第１軌道部２３の出口を塞ぐと共に、第２規制部４２が第２軌道部２４の出口を塞ぐ。
【０１１７】
この後は、実施形態１と同様、ガイド軸部１４はガイド溝部２０でガイドされながらガイド溝部２０の後端部に移動すると共に、鍵盤蓋１０の後端部に位置するシャフト１６が後側ガイド部１９の軸ガイド溝部２１における後端部に移動し、且つシャフト１６の両側のピニオンギア１７が後側ガイド部１９のラックギア２２に噛み合った状態でラックギア２２の後端部に回転移動する。これにより、鍵盤蓋１０が楽器ケース１の天板６の下側に配置されて開き、鍵盤部７を開放する。
【０１１８】
このように、この実施形態４における鍵盤楽器の蓋開閉装置１１においても、実施形態１と同様の作用効果があるほか、軌道規制部４０が、鍵盤蓋１０が開く際に第１軌道部２３を塞いでガイド軸部１４を第２軌道部２４に導く第１規制部４１と、鍵盤蓋１０が閉じる際に第２軌道部２４を塞いでガイド軸部１４を第１軌道部２３に導く第２規制部４２とを備えている構成であるから、実施形態３よりも、確実に且つ良好に鍵盤蓋１０を安全に且つスムーズに開閉させることができる。
【０１１９】
すなわち、この実施形態４の蓋開閉装置１１では、鍵盤蓋１０を開く際に軌道規制部４０の第１規制部４１が第１軌道部２３の出口を塞いでいるので、ガイド軸部１４を軌道規制部４０の第１規制部４１上を移動させることができる。このため、ガイド軸部１４が第１軌道部２３内に落ち込むことがなく、ガイド軸部１４を第２軌道部２４内に確実に且つ円滑に導くことができ、これにより鍵盤蓋１０をスムーズに開くことができる。
【０１２０】
また、この実施形態４の蓋開閉装置１１では、鍵盤蓋１０を閉じる際に軌道規制部４０の第２規制部４２が第２軌道部２４の出口を塞いでいるので、ガイド軸部１４を第１軌道部２３内に確実に落し込んでストッパ部２３ｃで一旦停止させることができる。この場合、鍵盤蓋１０が早い速度で閉じる方向に移動してガイド軸部１４が第１軌道部２３の入口を飛び越えても、第２規制部４２によってガイド軸部１４を受け止めて第１軌道部２３内に確実に導くことができる。
【０１２１】
また、ガイド軸部１４が第１軌道部２３のストッパ部２３ｃで一旦停止した状態で、鍵盤蓋１０が持ち上がられると、ガイド軸部１４が軌道規制部４０の第１規制部４１を押し上げるので、ガイド軸部１４によって第１軌道部２３を確実に開放することができる。これにより、ガイド軸部１４がストッパ部２３ｃを良好に乗り越えるので、鍵盤蓋１０を円滑に且つ良好に閉じることができる。
【０１２２】
この場合、実施形態４の蓋開閉装置１１は、軌道規制部４０が、第１軌道部２３の出口であるストッパ部２３ｃの上部を開閉可能に塞ぐ第１規制部４１と、第２軌道部２４の出口である第１軌道部２３の落ち込み部２３ａの上側に位置する箇所の第２軌道部２４を開閉可能に塞ぐ第２規制部４２と、この第１、第２の各規制部４１、４２を支持して共に回転する回転軸３２と、この回転軸３２を回転自在に支持する支持部材３３と、第１、第２の各規制部４１、４２が第１、第２の各軌道部２３の各出口を塞ぐように付勢するための付勢部材３４とを備えていることにより、第１、第２の各規制部４１、４２によって第１、第２の各軌道部２３の各出口を開閉可能な状態で確実に且つ良好に塞ぐことができる。
【０１２３】
このため、鍵盤蓋１０を開く際に、付勢部材３４の付勢力によって第１規制部４１が第１軌道部２３の出口であるストッパ部２３ｃの上部を確実に塞ぐことができるので、この第１規制部４１によってガイド軸部１４を第２軌道部２４内に確実に且つ円滑に導くことができ、また鍵盤蓋１０を閉じる際に、第２規制部４２が第２軌道部２４の出口を塞いでいるので、この第２規制部４２によってガイド軸部１４を第１軌道部２３内に確実に且つ良好に落し込んでストッパ部２３ｃで一旦停止させることができる。
【０１２４】
この場合、ガイド軸部１４が第１軌道部２３のストッパ部２３ｃに当接して一旦停止している状態で、鍵盤蓋１０を持ち上がると、ガイド軸部１４が付勢部材３４の付勢力に抗して第１規制部４１を押し上げることにより、回転軸３２を中心に第１規制部４１を回転させて第１軌道部２３の出口を開放させることができ、これによりガイド軸部１４がストッパ部２３ｃを良好に乗り越えるので、鍵盤蓋１０を円滑に且つ良好に移動させて閉じることができる。
【０１２５】
なお、上述した実施形態４では、第１、第２の各規制部４１、４２を１本の回転軸３２に一体的に取り付けて連動させるように構成した場合について述べた、これに限らず、例えば回転軸を、筒軸とこの筒軸内に回転可能に挿入された軸部とで構成し、筒軸に第１、第２の規制部４１、４２の一方を取り付け、軸部に第１、第２の規制部４１、４２の他方を取り付けて、第１、第２の規制部４１、４２をそれぞれ独立して動作するように構成しても良い。
【０１２６】
この場合には、第２規制部４２が第１軌道部２３の落ち込み部２３ａ側に位置する入口を塞いだ際に、第２規制部４２が当接して第２規制部４２の下限位置を規制するためのダボ（図示せず）を第１、第２の各軌道部２３、２４間に設ければ良い。このように構成すれば、鍵盤蓋１０を開く際に、ガイド軸部１４が第２軌道部２４を通過するときに、ガイド軸部１４が第２規制部４２を押し倒しても、ダボによって第２規制部４２を所定位置に規制することができるので、第１、第２の規制部４１、４２がそれぞれ独立して動作する構成であっても、ガイド軸部１４を第１軌道部２３内に落し込むことなく、第２規制部４２によって円滑に且つ良好に移動させることができる。
【０１２７】
また、上述した実施形態１〜４およびその変形例では、鍵盤蓋１０の前端部にガイド軸部１４を設け、前側ガイド部１８のガイド溝部２０の前部に第１、第２の各軌道部２３、２４を設けた場合について述べたが、これに限らず、例えば鍵盤蓋１０の後端部にガイド軸部１４を設け、前側ガイド部１８のガイド溝部２０の後部に第１、第２の各軌道部２３、２４を設けた構成でも良く、また鍵盤蓋１０の中間部にガイド軸部１４を設け、前側ガイド部１８のガイド溝部２０の中間部に第１、第２の各軌道部２３、２４を設けた構成でも良い。
【０１２８】
さらに、上述した実施形態１〜４およびその変形例では、鍵盤蓋１０を閉じる際に第１軌道部２３のストッパ部２３ｃが鍵盤蓋１０のガイド軸部１４を一旦停止させるように構成されている場合について述べたが、これに限らず、例えば第１軌道部２３のストッパ部２３ｃは、鍵盤蓋１０のガイド軸部１４が当接してゆっくり乗り越えるように形成されていても良い。この場合には、第１軌道部２３のストッパ部２３ｃによって鍵盤蓋１０の閉じる速度を極端に遅くすることができるので、これによっても鍵盤蓋１０を安全に開閉することができる。
【０１２９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１３０】
（付記）
請求項１に記載の発明は、鍵盤部が内部に設けられた楽器ケースと、この楽器ケースにその前後方向にスライド可能に設けられて前記鍵盤部を開閉自在に覆う鍵盤蓋と、この鍵盤蓋を前記楽器ケースの前後方向にガイドするガイド部とを備えた鍵盤楽器の蓋開閉装置において、
前記鍵盤蓋には、前記ガイド部に移動可能にガイドされるガイド移動部が設けられており、前記ガイド部は、前記鍵盤蓋が閉じる方向に移動する際に前記ガイド移動部が一旦落ち込む第１軌道部と、前記鍵盤蓋が開く方向に移動する際に前記ガイド移動部をガイドして前記第１軌道部の上側を通過させる第２軌道部とを備えていることを特徴とする鍵盤楽器の蓋開閉装置である。
【０１３１】
請求項２に記載の発明は、請求項１に記載の鍵盤楽器の蓋開閉装置において、前記ガイド移動部が移動する軌道を、前記第１軌道部と前記第２軌道部とのいずれかに規制するための軌道規制部を備えていることを特徴とする鍵盤楽器の蓋開閉装置である。
【０１３２】
請求項３に記載の発明は、請求項２に記載の鍵盤楽器の蓋開閉装置において、前記軌道規制部は、前記鍵盤蓋が開く際に前記第１軌道部を塞いで前記ガイド移動部を前記第２軌道部に導くと共に、前記鍵盤蓋が閉じる際に前記ガイド移動部によって前記第１軌道部を開放する構成であることを特徴とする鍵盤楽器の蓋開閉装置である。
【０１３３】
請求項４に記載の発明は、請求項２に記載の鍵盤楽器の蓋開閉装置において、前記軌道規制部は、前記鍵盤蓋が開く際に前記第１軌道部を塞いで前記ガイド移動部を前記第２軌道部に導く第１規制部と、前記鍵盤蓋が閉じる際に前記第２軌道部を塞いで前記ガイド移動部を前記第１軌道部に導く第２規制部とを備えていることを特徴とする鍵盤楽器の蓋開閉装置である。
【符号の説明】
【０１３４】
１  楽器ケース
７  鍵盤部
１０  鍵盤蓋
１１  蓋開閉装置
１４  ガイド軸部
１７  ピニオンギア
１８  前側ガイド部
１９  後側ガイド部
２０  ガイド溝部
２２  ラックギア
２３  第１軌道部
２３ａ  落ち込み部
２３ｂ  平坦部
２３ｃ  ストッパ部
２４  第２軌道部
２７、３０、４０  軌道規制部
３１  可動板
３２  回転軸
３３  支持部材
３４  付勢部材
４１  第１規制部
４２  第２規制部
【図１】
0005838616.tif 000002
【図２】
0005838616.tif 000003
【図３】
0005838616.tif 000004
【図４】
0005838616.tif 000005
【図５】
0005838616.tif 000006
【図６】
0005838616.tif 000007
【図７】
0005838616.tif 000008
【図８】
0005838616.tif 000009
【図９】
0005838616.tif 000010
【図１０】
0005838616.tif 000011
【図１１】
0005838616.tif 000012
【図１２】
0005838616.tif 000013
【図１３】
0005838616.tif 000014
【図１４】
0005838616.tif 000015
【図１５】
0005838616.tif 000016
【図１６】
0005838616.tif 000017
【図１７】
0005838616.tif 000018
【図１８】
0005838616.tif 000019
【図１９】
0005838616.tif 000020
【図２０】
0005838616.tif 000021
【図２１】
0005838616.tif 000022
【図２２】
0005838616.tif 000023
【図２３】
0005838616.tif 000024
【図２４】
0005838616.tif 000025
【図２５】
0005838616.tif 000026
【図２６】
0005838616.tif 000027
【図２７】
0005838616.tif 000028
【図２８】
0005838616.tif 000029
【図２９】
0005838616.tif 000030
【図３０】
0005838616.tif 000031
【図３１】
0005838616.tif 000032
【図３２】
0005838616.tif 000033
【図３３】
0005838616.tif 000034
【図３４】
0005838616.tif 000035
【図３５】
0005838616.tif 000036
【図３６】
0005838616.tif 000037
【図３７】
0005838616.tif 000038
【図３８】
0005838616.tif 000039
【図３９】
0005838616.tif 000040
【図４０】
0005838616.tif 000041
【図４１】
0005838616.tif 000042
【図４２】
0005838616.tif 000043